(57)【要約】【課題】椅子型マッサージ装置において、背もたれ部と座部との間に異物が入り込むのを防止する。【解決手段】座部２と、この座部２の後端側に立設された背もたれ部３と、この背もたれ部３に内臓され且つ背もたれ部３内を上下方向へ移動可能なマッサージ機構とを備えた椅子型マッサージ装置において、背もたれ部３に、当該背もたれ部３の下部と座部２との間に異物Ｂが入り込むのを防止する入り込み防止部材２５が設けられている。【選択図】図３
0003126680.tif 000002
【実用新案登録請求の範囲】
【請求項１】
座部と、この座部の後端側に立設された背もたれ部と、この背もたれ部に内臓され且つ背もたれ部内を上下方向へ移動可能なマッサージ機構とを備えた椅子型マッサージ装置において、
前記背もたれ部に、当該背もたれ部の下部と座部との間に異物が入り込むのを防止する入り込み防止部材が設けられていることを特徴とする椅子型マッサージ装置。
【請求項２】
前記背もたれ部は、上方へ向けて起立して前記背もたれ部の側壁を構成する左右一対の起立部材と、この起立部材の下部を連結する連結部材を有しており、
前記入り込み防止部材は、連結部材の左右方向中央部から上方に起立する板状の第１板材と、この第１板材の上部から上方に起立する板状の第２板材とを有していることを特徴とする請求項１に記載の椅子型マッサージ装置。
【請求項３】
前記第１板材及び第２板材は、前記背もたれ部に対して前後方向に弾性変形するように形成され、前記第２板材は、前記第１板材よりも弾性変形し易い高弾性材料で形成されていることを特徴とする請求項２に記載の椅子型マッサージ装置。
【請求項４】
前記第２板材の幅は、前記第１板材の幅よりも小さいことを特徴とする請求項２又は３に記載の椅子型マッサージ装置。
【請求項５】
前記第１板材は、下部から上部にいくにしたがって前記背もたれ部に近づくように形成されていることを特徴とする請求項２〜４のいずれかに記載の椅子型マッサージ装置。
【請求項６】
前記入り込み防止部材は、前記起立部材と前記第１板材及び第２板材との間のスペースを小さくすべく、前記左右一対の起立部材の内側面に設けられた補助材を有していることを特徴とする請求項２〜５のいずれかに記載の椅子型マッサージ装置。
【請求項７】
前記第２板材の上端部は、前記背もたれ部のカバーに連結されていることを特徴とする請求項２〜６のいずれかに記載の椅子型マッサージ装置。
【考案の詳細な説明】
【技術分野】
【０００１】
本考案は、背もたれ部内を上下に移動可能なマッサージ機構を備えた椅子型マッサージ装置に関する。
【背景技術】
【０００２】
周知の如く、椅子型マッサージ装置の技術分野においては、互いに独立した４つのマッサージ体によって人体をマッサージする４つ玉式のマッサージ機構を背もたれ部に内蔵したものがある。
このようなマッサージ機構は、左右方向に架設された回転軸と、この回転軸の回転に伴って一端部及び他端部が左右方向において互いに逆向きに揺動するように当該回転軸に連結されている左右一対の揺動アームと、各揺動アームの上端及び下端にそれぞれ取り付けられたマッサージ体と、を備えている。マッサージ機構は背もたれ部内に上下方向に設けられた駆動軸に沿って上下方向に昇降可能となっており、マッサージ機構が上下に移動することで、使用者の肩から腰に至るまでの広範囲のマッサージ施術が可能となっている（例えば、特許文献１参照）。
【０００３】
かかる椅子型マッサージ装置において、使用者がコントローラ等のスイッチを入れることで、上下駆動用のモータが駆動され、マッサージ機構が背もたれ部内を上下に移動するものであり、移動の停止は、使用者がコントローラを操作する他に、駆動軸の上端及び下端に設けられたリミットスイッチなどの信号により行われる。
【特許文献１】特開２０００−２３７２５７号公報
【考案の開示】
【考案が解決しようとする課題】
【０００４】
ところが、使用者の身体がマッサージ機から離れたり、子供などのマッサージに適さない体格の使用者が着座したりした際に、マッサージ機構が背もたれ部の下部側に移動した場合、マッサージ体と座面との間、マッサージ機構の支持フレームと座部との間などで予期しない「異物の挟み込み」を生じる可能性がある。この場合、異物、例えば眼鏡等の物品が破損したり、メカ系への過負荷が生じるという問題がある。最も好ましくない例として、人体の一部の挟み込みの可能性も排除できない。
そこで、本考案は、上記問題点を鑑み、背もたれ部と座部との間に異物が入り込むのを防止する椅子型マッサージ装置を提供することを目的とする。
【課題を解決するための手段】
【０００５】
前記目的を達成するため、本考案においては以下の技術的手段を講じた。
本考案に係る椅子型マッサージ装置は、座部と、この座部の後端側に立設された背もたれ部と、この背もたれ部に内臓され且つ背もたれ部内を上下方向へ移動可能なマッサージ機構とを備えた椅子型マッサージ装置において、前記背もたれ部に、当該背もたれ部の下部と座部との間に異物が入り込むのを防止する入り込み防止部材が設けられている点にある。
これによれば、背もたれ部に設けられた入り込み防止部材によって、異物が背もたれ部の下部と座部との間に入り込むことを防止することができ、異物が破損することを防ぐことができる。
【０００６】
前記背もたれ部は、上方へ向けて起立して前記背もたれ部の側壁を構成する左右一対の起立部材と、この起立部材の下部を連結する連結部材を有しており、前記入り込み防止部材は、連結部材の左右方向中央部から上方に起立する板状の第１板材と、この第１板材の上部から上方に起立する板状の第２板材とを有していることが好ましい。
これによれば、座部の上面であって左右方向中央部に異物がある場合でも、第１板材及び第２板材によって中央部にある異物の侵入を確実に防ぐことができる。
前記第１板材及び第２板材は、前記背もたれ部に対して前後方向に弾性変形するように形成され、前記第２板材は、前記第１板材よりも弾性変形し易い高弾性材料で形成されていることが好ましい。前記第２板材の幅は、前記第１板材の幅よりも小さいことが好ましい。
【０００７】
第１板材は、下部から上部にいくにしたがって背もたれ面に近づくように形成されていることが好ましい。
これによれば、座部上にある異物を確実に座部の前側（背もたれ面側）に押し返すことができる。
前記入り込み防止部材は、前記起立部材と前記第１板材及び第２板材との間のスペースを小さくすべく、前記左右一対の起立部材の内側面に設けられた補助材を有していることが好ましい。
【０００８】
これによれば、第１板材及び第２板材との間の左右のスペースを小さくできるため、座部の左右両端部側に異物がある場合でも、その異物を背もたれ部と座部との間に入り込むのを確実に防止できる。
前記第２板材の上端部は、前記背もたれ部のカバーに連結されていることが好ましい。
【考案の効果】
【０００９】
本考案にかかる椅子型マッサージ装置によれば、背もたれ部と座部との間に異物が入り込むのを防止することができる。
【考案を実施するための最良の形態】
【００１０】
以下、本考案にかかる椅子型マッサージ装置を、図を基に以下説明する。
図１は、本考案にかかる椅子型マッサージ装置１の斜視図を示したものであり、図２は、椅子型マッサージ装置１の側面図を示したものである。
図１、２に示すように、椅子型マッサージ装置１は、座部２と、座部２の後端部に立設された背もたれ部３と、この背もたれ部３の内部に収納されたマッサージ機構４と、座部２の前端部に垂下するように設けられた下肢マッサージ部５とを備えている。
以下、椅子型マッサージ装置１やマッサージ機構４の説明においては、図２の右左方向を前後方向（厚さ方向）、図２の上下方向を上下方向、図２の紙面貫通方向を左右方向（幅方向）と呼ぶ。これは椅子に座った使用者（被マッサージ者）から見た方向と一致する。
【００１１】
座部２は、平面視で矩形状に形成され、脚体６により支持されている。座部２の後部には軸芯が左右方向を向いていて背もたれ部３を枢支する枢支軸７が設けられており、これによって、背もたれ部３をリクライニング可能に支持している。
図１，図３に示すように、背もたれ部３は、座部２の後部から上方へ向けて起立して背もたれ部３の側壁を構成する一対の起立部材８，８と、この起立部材８，８の下部を水平方向に連結する連結部材９とを有している。
起立部材８，８は、左右方向に一定の間隔で離間して配置されており、この実施の形態では、各起立部材８，８は座部２の左右両側に配置している。起立部材８，８及び連結部材９は、伸縮性を有するカバー１０で覆われており、カバー１０で覆った背もたれ部３の前面が使用者が凭れる背もたれ面１１とされている。
【００１２】
図２に示すように、背もたれ部３の内部、即ち、カバー１０で覆った内部には、前記マッサージ機構４と、このマッサージ機構４を上下方向に移動させる移動機構１２が設けられている。
マッサージ機構４は、左右一対の揺動アーム１３，１３と、各揺動アーム１３，１３の上端及び下端にそれぞれ取り付けられたマッサージ体１４（揉み玉）と、揺動アーム１３，１３とマッサージ体１４とを支持する支持体１５とを有している。
マッサージ体１４は扁平ボール状に形成されていて、その中央部が上下に分かれる二股状の揺動アーム１３，１３の各端部に左右方向の取付ピンを介して回転自在に取り付けられている。それぞれのマッサージ体１４は、使用者に対して個別に当接するように上下左右に離れて独立した状態で配置されている。なお、下端のマッサージ体１４は、上端のマッサージ体１４よりその径が大きなものとすると好適である。
【００１３】
支持体１５には、左右方向に軸芯が向く回転軸１６が回転自在に設けられ、この回転軸１６に揺動アーム１３，１３の中途部が連結されている。また、支持体１５には回転軸１６を回転させる駆動機構１７が設けられ、前記回転軸１６を回転させることで、互いの揺動アーム１３，１３は、左右又は／及び前後に揺動する。
揺動アーム１３，１３を左右に揺動させることで、左右揺動アーム１３，１３の上端部に取り付けたマッサージ体１４同士が互いに接近したときに下端部に取り付けたマッサージ体１４同士が離反し、逆に、上端部に取り付けたマッサージ体１４同士が離反したときに下端部に取り付けたマッサージ体１４同士が接近する、といった動作を繰り返す（以降、揉み動作ということがある）。
【００１４】
また、揺動アーム１３，１３を前後に揺動させることで、左右一対のマッサージ体１４のうち一方のマッサージ体１４が背もたれ面１１に向けて（前側に向けて）突出し、他方のマッサージ体１４が背もたれ面１１から離れる（後部から離れる）といった動作を繰り返す（以降、叩き動作ということがある）。
このマッサージ機構４では、揉み動作及び叩き動作を同時にする（揺動アーム１３，１３が前後に揺動しつつ左右にも揺動する）ようになっているが、揉み動作と叩き動作を別々に行うことも可能である。
【００１５】
移動機構１２は、左右一対の起立部材８，８の間で、背もたれ部３の下部から上部に向けて延びる左右一対のガイドレール２０，２０と、ガイドレール２０，２０とは別に背もたれ部３の下部から上部に向けて延びていて回転自在なネジ軸２１と、このネジ軸２１を回転させる昇降モータ２２と、支持体１５に回転自在に設けられたガイドローラ２３とを有している。
ガイドローラ２３は、ガイドレール２０，２０に対して転動自在に係合しており、支持体１５はネジ軸２１に対して螺合している。
【００１６】
したがって、昇降モータ２２の駆動でネジ軸２１を回転することで、マッサージ機構４（支持体１５）が上下移動するようになっている。即ち、マッサージ機構４は背もたれ部３の内部において、背もたれ部３の上部から下部に亘って移動するようになっている。
マッサージ機構４の下側のマッサージ体１４又は支持体１５の下部が、枢支軸７又は連結部材９に近接するまで、当該マッサージ機構４を移動させることができる。
図３に示すように、マッサージ機構４が背もたれ部４の下部まで移動した状態では、下側の一対のマッサージ体１４のうち左側のマッサージ体１４Ｌは左右方向中心より左側に位置し、右側のマッサージ体１４Ｒは左右方向中心より右側に位置するようになっている。このように、マッサージ機構４が背もたれ部３の下部まで移動した際は、マッサージ体１４と座面との間、マッサージ機構の支持体１５と座部２との間などで予期しない「異物の挟み込み」を生じる可能性があるため、本考案にかかる椅子型マッサージ装置では、背もたれ部３に、当該背もたれ部３の下部と座部２との間に異物Ｂが入り込むのを防止する入り込み防止部材２５が設けられている。
【００１７】
以下、入り込み防止部材２５について詳しく説明する。
図１〜５に示すように、入り込み防止部材２５は、第１板材２６と、第２板材２７とを有している。第１板材２６は、金属材料により略Ｔ字の板状に形成されたもので、その下端部は連結部材９の左右方向中央部に取り付けられている。
第１板材２６は側面視で円弧状に形成されている。詳しくは、第１板材２６は、下部から上部にいくにしたがって背もたれ面１１に近づくように形成されている。連結部材９よりも突出している第１板材２６の左右幅Ｄ１（単に幅ということがある）は、当該第１板材２６の厚みＴ１よりも大きく形成されていて、第１板材２６は前後方向に弾性変形可能となっている。
【００１８】
言い換えれば、第１板材２６は左右方向に幅広い幅広面２８を有していて、この幅広面２８は下部から上部にいくにしたがって背もたれ面１１の裏側から背もたれ面１１に徐々に近づいている。
このような第１板材２６の幅広面２８によって、座部２の上面であってその左右方向中央部付近にに異物Ｂがあってもその異物Ｂが背もたれ部３内（後部側）へ移動しないように、背もたれ面１１（前部）へ向けて異物Ｂを押し返すようになっている。幅広面２８の上下中途部から上部の範囲は、座部２の上面よりも上側に位置している。なお、第１板材２６は、側面視で背もたれ面１１に沿うように形成されることが好ましい。
【００１９】
第２板材２７は、合成樹脂等により板状に形成されたもので、第１板材２６よりも弾性変形し易い高弾性材料で形成されている。これにより、支持体１５と第２板材２７との間に不用意に異物Ｂ（例えば、手）が挟まってしまった場合でも、第２板材２７は前後方向に弾性変形するため、異物Ｂを損傷することなく、支持体１５と第２板材２７との間から異物Ｂを取り出すことができる。
第２板材２７の下端部は第１板材２６の上部に取り付けられ、第２板材２７の上端部は、カバー１０に連結されている。詳しくは、背もたれ面１１の裏側でカバー１０が左右方向中央部で折り重ねられることによって、当該背もたれ面１１の裏側の左右中央部に折り重ね部３５が形成されており、この折り重ね部３５に第２板材２７の上端部が取り付けられている（縫いつけられている）。この折り重ね部３５は伸縮し難くなっていて、これにより背もたれ部３内（後部側）に異物Ｂが入り難くしている。
【００２０】
第２板材２７は、側面視で下部から上部にかけて直線状となっており、第１板材２６の上端端から上方に突出した第２板材２７の左右幅Ｄ２（単に幅ということがある）は、当該第２板材２７の厚みＴ２よりも大きく形成されている。
第２板材２７の幅Ｄ２は第１板材２６の幅Ｄ１よりも小さいものとなっている。これにより、マッサージ機構が背もたれ部４の下部に移動した際、下側のマッサージ体１４Ｌ，１４Ｒと第２板材２７との間に隙間ができ、下側のマッサージ体１４Ｌ，１４Ｒと第２板材２７との間で細い異物（例えば、指）が挟まりにくくすることができる。
【００２１】
第２板材２７は、第１板材２６と同様に左右方向に幅広い幅広面２９を有していて、この幅広面２９が背もたれ面１１の裏側から背もたれ面１１に近接しており、このような第２板材２７の幅広面２９によって、座部２の上面であってその左右方向中央部付近にに異物Ｂがあってもその異物Ｂが背もたれ部３（後部側）へ移動しないように、背もたれ面１１（前部）へ向けて異物Ｂを押し返すようになっている。
入り込み防止部材２５は補助材３０を有している。この補助材３０は、起立部材８，８の内側面に設けられていて起立部材８，８と第１板材２６及び第２板材２７との間のスペースＳを小さくするもので、第１板材２６及び第２板材２７に向けて突出している。
【００２２】
補助材３０は、第２板材２７と起立部材８，８との幅（スペースＳの最大幅Ｄ３）を所定幅以下（例えば、１５ｃｍ以内）にするものである（後述するが、弾性変形していない状態である）。
補助材３０によって、スペースＳの最大幅Ｄ３を所定幅以下としたのは、異物Ｂ（例えば、子供の頭）が挟み込まないようにしている。補助材３０は弾性変形しない材料が好ましいが、スポンジ等で形成することで左右方向（幅方向）に多少弾性変形をさせることも可能である。
【００２３】
なお、補助材３０によって、スペースＳの幅を小さくしているが、このスペースＳにはマッサージ体１４が上下に通過できるようにしている（補助材３０でスペースＳを小さくしているもののマッサージ体１４が通過できる幅は確保している）。
以上、本考案にかかる椅子型マッサージ装置では、背もたれ部３に設けられた入り込み防止部材２５によって、異物Ｂが背もたれ部３の下部と座部２との間に入り込むことを防止することができ、異物Ｂを損傷したり破損させることもない。
本考案にかかる椅子型マッサージ装置は、上記の実施の形態に限定されない。即ち、第２板材２７を長手方向軸芯まわりに９０°回転させて、背もたれ面１１に対向する面を小さくしてもよい。この場合、第２板材２７の上端側を左右方向（幅）に屈曲することで、第２板材２７を幅方向に弾性変形し易くするのが好ましい。
【図面の簡単な説明】
【００２４】
【図１】椅子型マッサージ装置の斜視図である。
【図２】椅子型マッサージ装置の概略の側面図である。
【図３】入り込み防止部材を取り付けている背もたれ部の内部図である。
【図４】第１板材と第２板材との斜視図である。
【図５】第１板材及び第２板材とマッサージ体との関係を示す斜視図である。
【符号の説明】
【００２５】
１    椅子型マッサージ装置
２    座部
３    背もたれ部
４    マッサージ機構
８    起立部材
９    連結部材
１１  背もたれ面
２５  入り込み防止部材
２６  第１板材
２７  第２板材
３０  補助材
【図１】
0003126680.tif 000003
【図２】
0003126680.tif 000004
【図３】
0003126680.tif 000005
【図４】
0003126680.tif 000006
【図５】
0003126680.tif 000007